(57)【特許請求の範囲】
【請求項１】
撮像条件を可変制御可能な撮像手段と、
上記撮像手段により撮像されて撮像信号として得られた画像を連続的に記録する連続記録手段と、
上記撮像手段により撮像されて撮像信号として得られた画像を非連続に記録する非連続記録手段と、
上記連続記録手段による連続記録モードと上記非連続記録手段による非連続記録モードとを切り換えるためのモード切換手段と、
上記撮像手段による静止画撮像を行うための第１の操作状態と第２の操作状態とを有する静止画用撮像ボタンと、
上記モード切換手段による上記非連続記録モード時に、上記静止画用撮像ボタンの上記第１の操作に応じて上記撮像手段の上記撮像条件の少なくとも一部を固定し、上記静止画用撮像ボタンの上記第２の操作に応じて上記撮像手段で撮像されて得られた画像を上記非連続記録手段により記録する制御手段と
を備えたことを特徴とする画像記録装置。
【請求項２】
画像表示手段と、
静止画表示用記憶手段とを備え、
上記制御手段は、上記モード切換手段による上記連続記録モード時に、上記静止画用撮像ボタンの上記第１の操作に応じて上記撮像手段で撮像されて得られた画像を上記静止画表示用記憶手段に取り込むと共に上記画像表示手段に表示し、上記静止画用撮像ボタンの上記第２の操作に応じて上記静止画表示用記憶手段に取り込まれた画像を上記連続記録手段により記録すること
を特徴とする請求項１記載の画像記録装置。
【請求項３】
上記制御手段は、フォーカスを上記撮像条件として固定すること
を特徴とする請求項１記載の画像記録装置。
【請求項４】
上記撮像手段は、静止画像用に最適なオートフォーカスによりフォーカスしていること
を特徴とする請求項３記載の画像記録装置。
【請求項５】
上記撮像手段の撮像信号の高周波成分を検出する信号検出手段を備え、
上記制御手段は、上記信号検出手段が検出した撮像信号の高周波成分が最大値になるような静止画像用の最適なオートフォーカスを行うこと
を特徴とする請求項４記載の画像記録装置。
【請求項６】
上記制御手段は、フォーカス又は絞りの撮像条件の少なくとも１つを固定すること
を特徴とする請求項１記載の画像記録装置。
【請求項７】
画像表示手段を備え、
上記制御手段は、上記モード切換手段による上記非連続記録モード時に、上記静止画用撮像ボタンの上記第１の操作に応じて、上記撮像手段で撮像されて得られた画像を上記画像表示手段に表示していくこと
を特徴とする請求項１記載の画像記録装置。
【請求項８】
上記連続記録手段は、着脱可能な記録媒体に連続的に画像を記録するものであり、
上記非連続記録手段は、メモリに画像を書き込むものであること
を特徴とする請求項１記載の画像記録装置。
【請求項９】
上記静止画用撮像ボタンはシャッターボタンであり、上記第１の操作状態はハーフシャッタ状態、上記第２の操作状態はフルシャッタ状態であること
を特徴とする請求項１記載の画像記録装置。
【請求項１０】
撮像条件を可変制御可能な撮像手段により撮像されて撮像信号として得られた画像を連続的に記録する連続記録手段による連続記録モードと上記撮像手段により撮像されて撮像信号として得られた画像を非連続に記録する非連続記録手段による非連続記録モードとを切り換えるモード切換工程と、
上記非連続記録モード時に、上記撮像手段による静止画撮像を行うための第１の操作状態と第２の操作状態とを有する静止画用撮像ボタンの上記第１の操作に応じて上記撮像手段の上記撮像条件の少なくとも一部を固定し、上記静止画用撮像ボタンの上記第２の操作に応じて上記撮像手段で撮像されて得られた画像を上記非連続記録手段により記録すること
を特徴とする画像記録方法。
【請求項１１】
上記連続記録モード時に、上記静止画用撮像ボタンの上記第１の操作に応じて上記撮像手段で撮像されて得られた画像を静止画表示用記憶手段に取り込むと共に画像表示手段に表示し、上記静止画用撮像ボタンの上記第２の操作に応じて上記静止画表示用記憶手段に取り込まれた画像を上記連続記録手段により記録すること
を特徴とする請求項１０記載の画像記録方法。
【請求項１２】
フォーカスを上記撮像条件として固定すること
を特徴とする請求項１０記載の画像記録方法。
【請求項１３】
上記撮像手段として、静止画像用に最適なオートフォーカスによりフォーカスするものを用いること
を特徴とする請求項１２記載の画像記録方法。
【請求項１４】
上記撮像手段の撮像信号の高周波成分の最大値になるように静止画像用の最適なオートフォーカスを行うこと
を特徴とする請求項１３記載の画像記録方法。
【請求項１５】
フォーカス又は絞りの撮像条件の少なくとも１つを固定すること
を特徴とする請求項１０記載の画像記録方法。
【請求項１６】
上記連続記録手段により外部記録媒体に連続的に画像を記録し、
上記非連続記録手段によりメモリに画像を書き込むこと
を特徴とする請求項１０記載の画像記録方法。
【請求項１７】
上記非連続記録モード時に、上記静止画用撮像ボタンの上記第１の操作に応じて、上記撮像手段で撮像されて得られた画像を画像表示手段に表示していくこと
を特徴とする請求項１０記載の画像記録方法。
【請求項１８】
上記静止画用撮像ボタンがシャッタボタンであり、上記第１の操作状態はハーフシャッタ状態、上記第２の操作状態はフルシャッタ状態であるものを用いること
を特徴とする請求項１０記載の画像記録方法。
【発明の詳細な説明】
【０００１】
【発明の属する技術分野】
本発明は、撮像信号を静止画像及び動画像として記録媒体に記録する画像記録装置及び画像記録方法に関する。
【０００２】
【従来の技術】
デジタルビデオカメラやビデオスチルカメラ等は、撮像部を有するカメラ一体型画像記録装置である。デジタルビデオカメラは、記録媒体としてＤＶ（Digital Video）テープ等の着脱可能なテープ状記録媒体を使用して、主に動画像を記録する連続記録装置である。また、デジタルスチルカメラは、記録媒体としていわゆるメモリスティック等の着脱可能な半導体メモリを使用して、主に静止画像を記録する非連続装置である。そして、近年、連続記録装置による静止画像の記録や、非連続記録装置による動画像の記録が可能となっている。
【０００３】
連続記録装置は、静止画像を記録する場合には、静止画用撮像ボタンであるシャッターボタンが押されるまで、山登り方式のＡＦ（オートフォーカス）を行っている。そして、連続記録装置は、ハーフシャッタ（第１の操作）で静止画像をキャプチャーして画像表示部に画像表示する。この画像表示部への画像出力によりユーザは画像を確認し、フルシャッタ（第２の操作）を行う。連続記録装置は、このフルシャッタにより初めてキャプチャーした静止画像を記録媒体に記録していた。このように連続記録装置におけるハーフシャッタ時の画像表示部への静止画像表示は、動画像に静止画像が混在して記録媒体に記録されてしまうので、一旦記録した後にその静止画像の消去や重ね記録が難しいため、ユーザが確認できるようにしたものである。
【０００４】
なお、連続記録装置では、動画像を記録する場合には、山登り方式のＡＦ（以下、山登りＡＦという。）を行うが、これはピントズレを目立たせないようにするためである。
【０００５】
他方、非連続記録装置は、ハーフシャッタでスキャン方式のＡＦ（以下、スキャンＡＦという。）を行い、合焦点でＡＦロックを行っている。そして、非連続記録装置は、フルシャッタによりで始めてキャプチャーして記録媒体へ静止画像を記録している。
【０００６】
ここで、スキャンＡＦは、静止画用の最適のオートフォーカスであり、非連続記録装置がこのスキャンＡＦを使用できるのは、取り込む静止画像が前後のシーンと独立しているので、一瞬ピンボケしても問題はないからである。なお、スキャンＡＦではなく山登りＡＦのまま、ハーフシャッタでＡＦロックしてもよい。
【０００７】
また、非連続記録装置は、連続記録装置の場合とは異なり、ハーフシャッターで静止画像をキャプチャーせず、画像表示部に画像表示している。すなわち、画枠を移動することにより、画像表示部の画像もそれに応じて変化する。このように、ハーフシャッタで静止画像をキャプチャーせず、ＡＦロックのみにすることにより、画枠を動かし、表示画面上の任意の場所の被写体にＡＦロックをすることができる。また、ハーフシャッターでキャプチャーして静止画像を出力しないのは、一旦記録した後も容易に静止画像の消去や重ね記録ができるためであり、ユーザが取り込もうとする静止画像の確認の必要性が少ないためである。
【０００８】
【課題が解決しようとする課題】
ところで、上述したように、連続記録装置による静止画像の記録や、非連続記録装置による動画像の記録が可能となっている。しかし、連続記録装置は、動画像の記録に動作が最適化されているので、静止画像を記録する場合に適さない動作をするときがある。同様に、非連続記録装置は、静止画像の記録に動作が最適化されているので、動画像を記録する場合に適さない動作をするときがある。例えば、連続及び非連続兼用記録装置において、連続及び非連続記録モード時においてハーフシャッタとフルシャッタとの動作が同じだと、最適化できない。
【０００９】
そこで、本発明は、上述の実情に鑑みてなされたものであり、画像を撮像して連続記録及び非連続記録できる場合において、それぞれの動作が最適化されている画像記録装置及び画像記録方法を提供することを目的としている。
【００１０】
【課題を解決するための手段】
本発明に係る画像記録装置は、上述の課題を解決するために、撮像条件を可変制御可能な撮像手段と、撮像手段により撮像されて撮像信号として得られた画像を連続的に記録する連続記録手段と、撮像手段により撮像されて撮像信号として得られた画像を非連続に記録する非連続記録手段と、連続記録手段による連続記録モードと非連続記録手段による非連続記録モードとを切り換えるためのモード切換手段と、撮像手段による静止画撮像を行うための第１の操作状態と第２の操作状態とを有する静止画用撮像ボタンと、モード切換手段による非連続記録モード時に、静止画用撮像ボタンの第１の操作に応じて撮像手段の撮像条件の少なくとも一部を固定し、静止画用撮像ボタンの第２の操作に応じて撮像手段で撮像されて得られた画像を非連続記録手段により記録する制御手段とを備える。
【００１１】
このような構成を有する画像記録装置は、撮像条件を可変制御可能な撮像手段により撮像されて撮像信号として得られた画像を連続的に記録する連続記録手段による連続記録モードと撮像手段により撮像されて撮像信号として得られた画像を非連続に記録する非連続記録手段による非連続記録モードとをモード切換手段により切り換え、非連続記録モード時に、静止画用撮像ボタンの第１の操作に応じて撮像手段の撮像条件の少なくとも一部を固定し、静止画用撮像ボタンの第２の操作に応じて撮像手段で撮像されて得られた画像を非連続記録手段により記録する制御を制御手段により行う。
【００１２】
これにより、画像記録装置は、少なくとも非連続記録時において、最適化された動作として撮像条件の少なくとも一部を固定して、静止画像の記録を行う。
【００１３】
また、本発明に係る画像記録方法は、上述の課題を解決するために、撮像条件を可変制御可能な撮像手段により撮像されて撮像信号として得られた画像を連続的に記録する連続記録手段による連続記録モードと撮像手段により撮像されて撮像信号として得られた画像を非連続に記録する非連続記録手段による非連続記録モードとを切り換えるモード切換工程と、非連続記録モード時に、撮像手段による静止画撮像を行うための第１の操作状態と第２の操作状態とを有する静止画用撮像ボタンの第１の操作に応じて撮像手段の撮像条件の少なくとも一部を固定し、静止画用撮像ボタンの第２の操作に応じて撮像手段で撮像されて得られた画像を非連続記録手段により記録する。
【００１４】
これにより、画像記録方法は、少なくとも非連続記録時において、最適化された動作として撮像条件の少なくとも一部を固定して、静止画像の記録を行う。
【００１５】
【発明の実施の形態】
以下、本発明の実施の形態について図面を用いて詳しく説明する。この実施の形態は、本発明を、撮像して得た撮像信号を記録媒体に記録するカメラ一体型記録装置であるビデオカメラに適用したものである。
【００１６】
このビデオカメラは、図１に示すように、撮像部１０、画像処理部１、コントラスト検波部３、ＣＰＵ４、画像記録部２０、モニタ部５、及び操作部３０を備えている。ここで、撮像部１０は、レンズ部１１及び撮像素子１２を備えている。また、画像記録部２０は、画像非連続記録部２１、画像連続記録部２２及び確認用静止画記録部２３を備えている。また、操作部３０は、記録モード切換スイッチ３１、動画用記録スイッチ３２及びシャッターボタン３３を備えている。
【００１７】
ビデオカメラは、撮像部１０により撮像信号として得た画像を第１の記録媒体又は第２の記録媒体に連続又は非連続に記録する。例えば、第１の記録媒体として、例えばＤＶ（Digital Video）テープ等のリニア記録媒体である着脱可能なテープ状記録媒体が挙げられる。また、第２の記録媒体としては、いわゆるメモリースティック等の半導体メモリが挙げられる。
【００１８】
このビデオカメラは、第１の記録媒体に連続した画像からなる動画像を記録する連続記録モードと、第２の記録媒体に静止画像を記録する非連続記録モードとを有し、連続記録モードにおいて第１の記録媒体に対して動画像を記録することに加え静止画像を記録するように構成されている。
【００１９】
このビデオカメラにおいて、撮像部１０は、撮像条件を可変制御可能な撮像手段として構成され、画像連続記録部２２は、撮像部１０により撮像されて撮像信号として得られた画像を連続的に記録する連続記録手段として構成され、画像非連続記録部２１は、撮像部１０により撮像されて撮像信号として得られた画像を非連続に記録する非連続記録手段として構成され、記録モード切換スイッチ３１は、画像連続記録部２２による連続記録モードと画像非連続記録部２１による非連続記録モードとを切り換えるためのモード切換手段として構成され、シャッターボタン３３は、撮像部１０による静止画撮像を行うための第１の操作状態と第２の操作状態とを有する静止画用撮像ボタンとして構成され、ＣＰＵ４は、記録モード切換スイッチ３１による非連続記録モード時に、シャッターボタン３３の第１の操作に応じて撮像部１０の撮像条件の少なくとも一部を固定し、シャッターボタン３３の第２の操作に応じて撮像部１０で撮像されて得られた画像を画像非連続記録部２１により記録する制御手段として構成されている。また、モニタ部５は画像表示手段として構成され、画像記録部２０の確認用静止画記録部２３は静止画表示用記憶手段として構成されている。
【００２０】
ここで、シャッターボタン３３は、２段階に押圧可能とされており、第１の操作状態とはハーフシャッタ状態であり、第２の操作状態とはフルシャッタ状態である。
【００２１】
ビデオカメラは、主に動画像を記録するように機能するものであるが、本実施の形態では、主にこのビデオカメラが機能として併有する静止画像の記録機能の動作の説明となる。よって、動画像についての記録及び再生については、特に明記しない限り、通常のビデオカメラの動画像の記録及び再生機能により行うものとする。
【００２２】
具体的には、ビデオカメラは次のように動作する。
【００２３】
撮像部１０は、レンズ部１１及び撮像素子部１２を備えている。撮像部１０は、レンズ部１１を介して被写体を撮像して、撮像素子１２から撮像信号を出力する。例えば、撮像素子１２はＣＣＤ（charge-coupled device）である。また、例えば、撮像信号は、１１５２×８６４画素のいわゆるメガピクセルの画像（以下、メガピクセル画像という。）に対応するものとして出力されている。撮像部１０から出力された撮像信号は、画像処理部１に入力される。
【００２４】
画像処理部１は、撮像部１０から出力されてくる撮像信号について各種信号処理を行う。例えば、画像処理部１は、撮像信号をデジタル変換する。画像処理部１により画像処理されて出力された撮像信号は、画像記録部２０、モニタ部５及びコントラスト検波部３に入力される。
【００２５】
コントラスト検波部３は、撮像部１０からの撮像信号の高周波成分の検出する信号検出手段である。ＣＰＵ４は、このコントラスト検波部３が検出した撮像信号の高周波成分に基づいてＡＦ（オートフォーカス）サーボを行う。ここで、ＡＦサーボは、モータドライブ２、コントラスト検波部３及びＣＰＵ４により構成されるＡＦサーボ部により行われる。
【００２６】
すなわち、ＣＰＵ４は、モータドライブ２により撮像部１０のレンズ部１１を駆動させて、このときコントラスト検波部３から出力される撮像信号の高周波成分を監視してレンズ部１１を駆動させる。
【００２７】
例えば、ＡＦには、山登り方式のＡＦ（以下、山登りＡＦという。）とスキャン方式のＡＦ（以下、スキャンＡＦという。）等がある。山登りＡＦは、撮像信号の高周波成分の極大値を検出するようにフォーカス動作を行うもので、スキャンＡＦは、撮像信号の高周波成分の最大値を検出するようにフォーカス動作を行うものである。
【００２８】
例えば、ある画像について高周波成分が図２に示すような分布をもっている場合、山登りＡＦでは、一旦極大点Ｒを検出してしまうと、その極大点Ｒに向かうようにリアルタイムでＡＦサーボが実行される。すなわち、最大点Ｍがあっても、極大点Ｒを目標値としてＡＦサーボが固定されてしまう場合がある。一方、スキャンＡＦでは、全体を走査するため、常に最大点Ｍが検出され、その最大点ＭについてＡＦサーボが実行される。すなわち、極大点が複数あっても、その内の最大点Ｍを目標値としてＡＦサーボが行われる。
【００２９】
山登りＡＦの場合、ＣＰＵ４は、モータドライブ２によりレンズ部１１を駆動させて、コントラスト検波部３から出力される撮像信号の高周波成分の極大値を検出するようにレンズ部１１を駆動させる。また、スキャンＡＦの場合、ＣＰＵ４は、モータドライブ２によりレンズ部１１を駆動させて、コントラスト検波部３から出力される撮像信号の高周波成分の最大値を検出するようにレンズ部１１を駆動させる。
【００３０】
一般的には、山登りＡＦはピントズレが目立たないので連続記録装置における動画像の撮像に使用され、スキャンＡＦは最適なフォーカスを得られる等の理由から銀塩フィルムを使用したカメラに使用されている。本発明が適用されているビデオカメラは、画像連続記録モードにおける動画像及び静止画像の撮像に山登りＡＦによるフォーカスを行い、画像非連続記録モードにおける静止画像の撮像にスキャンＡＦによるフォーカスを行っている。
【００３１】
ＣＰＵ４は、操作部３０の操作状態に基づいて各構成部分を制御している。操作部３０は、各種スイッチ及びボタン等から構成されており、記録モード切換スイッチ３１、動画用記録スイッチ３２、及びシャッターボタン３３を少なくとも備えている。
【００３２】
記録モード切換スイッチ３１は、連続記録モードと非連続記録モードとを切り換える。ＣＰＵ４は、この記録モード切換スイッチ３１により連続記録モードが選択された場合には、画像連続記録部２２を駆動させて連続記録動作状態に入る。また、ＣＰＵ４は、この記録モード切換スイッチ３１により非連続記録モードが選択された場合には、画像非連続記録部２１を駆動させて連続記録動作状態に入る。連続記録モード及び非連続記録モード時のＡＦ動作については後で詳しく説明する。
【００３３】
また、シャッターボタン３３は、ハーフシャッタ状態（半押し状態）と、フルシャッタ状態（全押し状態）との２段階の状態に操作可能とされている。ＣＰＵ４は、このシャッターボタン３３がハーフシャッタ状態及びフルシャッタ状態になされたことを検出して、画像記録部２０の画像非連続記録部２１、画像連連続記録部２２、確認用静止画記録部２３の動作を制御する。
【００３４】
画像連続記録部２２は、連続記録モードにおいて、ＤＶテープ等のテープ状記録媒体である第１の記録媒体に対して、主に動画像を記録するが、第１の記録媒体に静止画像も記録できる。確認用静止画記録部２３は、画像連続記録部２２において静止画像を記録する際に、その静止画像の確認用の画像が一時的に格納される部分であって、例えば、ＳＤＲＡＭ（シンクロナスＤＲＡＭ）である。
【００３５】
画像非連続記録部２１は、非連続記録モードにおいて、いわゆるメモリースティック等の半導体メモリである第２の記録媒体に対して静止画像を記録する。
【００３６】
ビデオカメラは、このように、画像非連続記録部２１において第２の記録媒体に静止画像を記録する機能に加え、画像連続記録部２２において第１の記録媒体に静止画像を記録する機能を有している。ビデオカメラは、このように画像連続記録部２２及び画像非連続記録部２１において静止画像を記録する際、以下のように最適化された撮像動作をする。
【００３７】
表１には、撮像の際の動作について示している。また、画像連続記録部２２及び画像非連続記録部２１において静止画像を記録する際の処理については、図３に示すようになる。図３に示すように、ＣＰＵ４は、ステップＳ１において、連続記録モードが選択されたか否かを判別し、ステップＳ２において、非連続記録モードが選択されたか否かを判別している。
【００３８】
【表１】
0004126816.tif 000002
【００３９】
画像連続記録部２２における静止画像の記録動作は以下のようになる。
【００４０】
先ず、連続記録モードにおける画像連続記録部２２による動画像の記録について説明する。
【００４１】
記録モード切換スイッチ３１の操作により連続記録モードが選択されると、ＣＰＵ４は、連続記録モードが選択されたことを知り、これにより画像連続記録部２２を例えばスタンバイ状態にする。この連続記録モードの選択は、図３に示すように、ステップＳ１において、記録モード切換スイッチ３１の操作により連続記録モードが選択されたか否かを判別することにより検出される。
【００４２】
ＣＰＵ４は、動画用記録スイッチ３２の操作により動画像の記録の命令がなされるまで、すなわち、動画用記録スイッチ３２がＯＦＦの状態では、レンズ部１１を駆動させて山登りＡＦ及びＡＥを行う。そして、動画用記録スイッチ３２が操作されて動画像の記録命令がなされたとき、すなわち、動画用記録スイッチ３２がＯＮされたとき、ＣＰＵ４は、山登りＡＦ及びＡＥで、撮像部１０からの撮像信号を画像連続記録２２の第１の記録媒体に記録する。
【００４３】
ビデオカメラは、このように連続記録モードにおいて動画像を第１の記録媒体に記録している。このような連続記録モードにおいてシャッターボタン３３が操作されたことを検出したＣＰＵ４は、画像連続記録部２２において次のように動作させ、第１の記録媒体への静止画像の記録を行う。
【００４４】
ＣＰＵ４は、シャッターボタン３３がハーフシャッタ状態にされるまでは、動画用記録スイッチ３２がＯＦＦされている動作として、ステップＳ３において、上述したように山登りＡＦ及びＡＥを行う。そして、ＣＰＵ４は、続くステップＳ４において、シャッターボタン３３のハーフシャッタ操作があったか否かを判別し、シャッターボタン３３のハーフシャッタ操作を検出するまで、ステップＳ３の山登りＡＦ及びＡＥを行う。
【００４５】
ステップＳ４においてシャッターボタン３３のハーフシャッタを検出したＣＰＵ４は、ステップＳ５において、撮像部１０からの撮像信号を、確認用静止画記録部２３にキャプチャーするとともに、モニタ部５に静止画像として出力する。この静止画像の出力を見て撮像者等は、撮像状態を確認することができる。そして、ＣＰＵ４は、続くステップＳ６において、シャッターボタン３３のフルシャッタ操作があったか否かを判別する。ＣＰＵ４は、シャッターボタン３３がフルシャッタ操作が未だされていないときはステップＳ７に進み、シャッターボタン３３のフルシャッタ操作がされたときには、ステップＳ８に進む。
【００４６】
ステップＳ７では、ＣＰＵ４は、シャッターボタン３３がハーフシャッタ操作中か否か、すなわちハーフシャッタ状態とされているか否かを判別する。ＣＰＵ４は、シャッターボタン３３がハーフシャッタ操作中であるときには、ステップＳ６に戻り再びシャッターボタン３３がフルシャッタされたか否かを判別し、また、シャッターボタン３３がハーフシャッタ操作中でないとき、すなわち、シャッターボタン３３が離されているときには、シャッターボタン３３が未だハーフシャッタ操作されていない処理としてステップＳ３からの山登りＡＦ及びＡＥを再び実行開始する。
【００４７】
一方、ステップＳ６においてシャッターボタン３３のフルシャッタ操作がされたとき進むステップＳ８では、ＣＰＵ４は、確認用静止画記録部２３に書き込まれている画像をここで初めて画像連続記録部２２で一定時間記録する。
【００４８】
なお、上述したような動作は、動画用記録スイッチ３２がＯＮされ、既に第１の記録媒体への動画像の記録が開始されているときと、動画用記録スイッチ３２がＯＦＦされており、未だ第１の記録媒体への動画像の記録を開始していないときとにおいてなされる。既に第１の記録媒体への動画像の記録が開始されている場合において、シャッターボタン３３が操作されて静止画像を記録するときの一例は次のようになる。
【００４９】
シャッターボタン３３のハーフシャッタ状態を検出したＣＰＵ４は、画像連続記録部２２による第１の記録媒体への動画像の記録を中止する。そして、ＣＰＵ４は、撮像部１０からの撮像信号を、確認用静止画記録部２３にキャプチャーするとともに、モニタ部５に静止画像として出力し、シャッターボタン３３のフルシャッタ状態の検出により、確認用静止画記録部２３に書き込まれている画像を画像連続記録部２２で記録する。そして、静止画像の記録後、ＣＰＵ４は、動画用記録スイッチをＯＦＦに解除して、動画像の記録のスタンバイ状態に入る。
【００５０】
なお、このような既に第１の記録媒体への動画像の記録が開始されている場合における静止画像の記録動作は、あくまでも一例であり、このように動作することに限定されるものではない。
【００５１】
ビデオカメラは、このように連続記録モードにおける静止画像の記録動作として、ハーフシャッタ時に画像表示部に静止画像表示しており、これにより、ユーザが静止画像を一旦確認してから記録媒体に記録させることができる。よって、連続記録において動画像に静止画像が混在して記録媒体に記録されてしまうことに起因する静止画像の消去や重ね記録をなくすことができる。
【００５２】
以上のように画像連続記録部２２において静止画像が記録されており、画像非連続記録部２１においては、以下のような動作により静止画像が記録される。
【００５３】
記録モード切換スイッチ３１の操作により非連続記録モードが選択されたとき、ＣＰＵ４は非連続記録モードが選択されたことを知り、これにより画像非連続記録部２１を例えばスタンバイ状態にする。この非連続記録モードの選択は、図３に示すように、ステップＳ２において、記録モード切換スイッチ３１の操作により非連続記録モードが選択されたか否かを判別することにより検出される。
【００５４】
そして、ＣＰＵ４は、ステップＳ９において、山登りＡＦ及びＡＥを行う。そして、ＣＰＵ４は、続くステップＳ１０において、ハーフシャッタ操作があったか否かを判別し、シャッターボタン３３のハーフシャッタ操作を検出するまで、ステップＳ９の山登りＡＦ及びＡＥを行う。
【００５５】
ステップＳ１０においてシャッターボタン３３のハーフシャッタを検出したＣＰＵ４は、ステップＳ１１において、スキャンＡＦを行い、合焦後、撮像条件の一部であるＡＦ及びＡＥをロックする。なお、このハーフシャッタにより、スキャンＡＦではなく山登りＡＦによりＡＦを開始してもよい。また、非連続記録モードでは、連続記録モードの場合とは異なり、ハーフシャッターで静止画像をキャプチャーせず、画像表示部に画像表示している。よって、モニタ部５には、画像処理部１から出力されてくる動画像が出力される。これによりユーザは、画枠を動かし、表示画面上の任意の場所の被写体にＡＦロックをすることができる。
【００５６】
そして、ＣＰＵ４は、続くステップＳ１２において、フルシャッタ操作があったか否かを判別する。ＣＰＵ４は、シャッターボタン３３がフルシャッタ操作が未だされていないときはステップＳ１３に進み、シャッターボタン３３のフルシャッタ操作がされたときには、ステップＳ１４に進む。
【００５７】
ステップＳ１３では、ＣＰＵ４は、シャッターボタン３３がハーフシャッタ操作中か否かかを判別する。ＣＰＵ４は、シャッターボタン３３がハーフシャッタ操作中であるときには、ステップＳ１２に戻り再びシャッターボタン３３がフルシャッタされたか否かを判別し、また、シャッターボタン３３がハーフシャッタ操作中でないときには、シャッターボタン３３が未だハーフシャッタ操作されていない処理としてステップＳ９からの山登りＡＦ及びＡＥを再び実行開始する。
【００５８】
一方、ステップＳ１２においてシャッターボタン３３のフルシャッタ操作がされたとき進むステップＳ１４では、ＣＰＵ４は、ここで初めて静止画像をキャプチャーして画像非連続記録部２１で記録する。
【００５９】
ビデオカメラは、このように非連続記録モードにおける静止画像の記録動作として、ハーフシャッタ時に静止画像をキャプチャーせず、合焦後、ＡＦロックのみをしており、これにより、ユーザは、例えば、銀塩フィルムを使用したカメラと同様な操作として、画枠を動かし、表示画面上の任意の場所の被写体にＡＦロックをすることができる。
【００６０】
さらに、ビデオカメラは、ハーフシャッタ後のＡＦをスキャンＡＦを採用することにより、ジャストフォーカスが可能になる。
【００６１】
以上のように、画像非連続記録部２１及び画像連続記録部２２において静止画像が記録されている。
【００６２】
以上のように構成されたビデオカメラは、連続記録モードにおいて第１の記録媒体に動画像を記録し、非連続記録モードにおいて第２の記録媒体に静止画像を記録することができ、さらに、連続記録モードにおいて第１の記録媒体に静止画像を記録することができる。
【００６３】
そして、ビデオカメラは、連続記録モードにおいては、ハーフシャッタにより一旦キャプチャーした静止画像をモニタ部５に表示させてから、フルシャッタによって当該静止画像を画像連続記録部２２において記録媒体に記録し、さらに、非連続記録モードにおいては、ハーフシャッタでキャプチャーすることなく、ＡＦによる合焦後にＡＦロックしてから、フルシャッターで初めて静止画像を画像非連続記録部２１において記録媒体に記録することにより、各記録モードにおいて最適化された撮像動作により静止画像を取得することができる。
【００６４】
なお、上述の本実施の形態では、ビデオカメラは、非連続記録モードにおけるシャッターボタン３３のハーフシャッタで撮像条件の一部であるＡＦをロックしている。しかし、これに限定されるものではなく、すなわち、例えば、ビデオカメラは、その他の撮像条件であるＡＥ（自動絞り）等をロックすることもできる。この場合、ビデオカメラは、それら撮像条件の全部或いは少なくとも１つのロックする。
【００６５】
【発明の効果】
本発明に係る画像記録装置は、撮像条件を可変制御可能な撮像手段により撮像されて撮像信号として得られた画像を連続的に記録する連続記録手段による連続記録モードと撮像手段により撮像されて撮像信号として得られた画像を非連続に記録する非連続記録手段による非連続記録モードとをモード切換手段により切り換え、非連続記録モード時に、静止画用撮像ボタンの第１の操作に応じて撮像手段の撮像条件の少なくとも一部を固定し、静止画用撮像ボタンの第２の操作に応じて撮像手段で撮像されて得られた画像を非連続記録手段により記録する制御を制御手段により行うことにより、少なくとも非連続記録時において、最適化された動作として撮像条件の少なくとも一部を固定して、静止画像の記録を行うことができる。
【００６６】
また、本発明に係る画像記録方法は、撮像条件を可変制御可能な撮像手段により撮像されて撮像信号として得られた画像を連続的に記録する連続記録手段による連続記録モードと撮像手段により撮像されて撮像信号として得られた画像を非連続に記録する非連続記録手段による非連続記録モードとを切り換えるモード切換工程と、非連続記録モード時に、撮像手段による静止画撮像を行うための第１の操作状態と第２の操作状態とを有する静止画用撮像ボタンの第１の操作に応じて撮像手段の撮像条件の少なくとも一部を固定し、静止画用撮像ボタンの第２の操作に応じて撮像手段で撮像されて得られた画像を非連続記録手段により記録することにより、少なくとも非連続記録時において、最適化された動作として撮像条件の少なくとも一部を固定して、静止画像の記録を行うことができる。
【図面の簡単な説明】
【図１】本発明の実施の形態であるビデオカメラの構成を示すブロック図である。
【図２】山登りＡＦ及びスキャンＡＦの動作を説明するために用いた撮像信号の高周波成分とフォーカス移動量との関係を示す特性図である。
【図３】ビデオカメラが画像連続記録部及び画像非連続記録部において静止画像を記録する際の一連の処理工程を示すフローチャートである。
【符号の説明】
１  画像処理部、２  モータドライブ、３  コントラスト検波部、４  ＣＰＵ、５  モニタ部、１０  撮像部、１１  レンズ部、１２  撮像素子、２１  画像非連続記録部、２２  画像連続記録部、２３  確認用静止画記録部、３１  記録モード切換スイッチ、３２  動画用記録スイッチ、３３  シャッターボタン
【図１】
0004126816.tif 000003
【図２】
0004126816.tif 000004
【図３】
0004126816.tif 000005